【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
記録媒体に形成される画像の注目画素について、第１のインクに対応する第１の多値データと第２のインクに対応する第２の多値データを取得するデータ取得手段と、
複数の閾値が画素位置に対応づけて配列されることで構成され、記憶手段に記憶された閾値マトリクスより、前記注目画素に対応する位置に配置されている第１の閾値を取得する閾値取得手段と、
前記第１の多値データに基づいて、前記第１の閾値と前記第２の多値データの少なくとも一方をオフセットするオフセット手段と、
前記第１の多値データと前記第１の閾値を比較することにより前記第１のインクのドットを記録するための第１の量子化データを生成し、前記オフセット手段による前記オフセットを反映した状態で前記第２の多値データと前記第１の閾値とを比較することにより前記第２のインクのドットを記録するための第２の量子化データを生成する生成手段と
を有する画像処理装置であって、
前記閾値マトリクスには、画素位置に対応づけて配列された前記複数の閾値のうち、最小値から前記第１の多値データの値までの連続する閾値に対応する画素位置に前記第１のインクのドットが記録された場合に形成されるドットパターンの空間周波数特性は、空間周波数と周波数成分の強度との対応関係において周波数成分の強度がピークとなる空間周波数を有し、かつ、当該ピークの空間周波数が前記第１の多値データの値に応じて異なるという特性を有し、画素位置に対応づけて配列された前記複数の閾値のうち、前記最小値から前記第１の多値データの値までを除く連続する閾値に対応する画素位置に前記第２のインクのドットが記録された場合に形成されるドットパターンの空間周波数特性は、空間周波数が高くなるにつれて周波数成分の強度が単調に増加するという特性を有するように、前記複数の閾値が画素位置に対応づけて配列されており、
前記データ取得手段が取得する多値データに関して、前記画像の全色領域のうち中間の明度よりも高い明度の色領域においてブラックインクの濃度を示す多値データの値は他の色のインクの濃度を示す多値データの値よりも小さく、
前記第１のインクはブラックインクとは異なるインクであり、前記第２のインクはブラックインクであることを特徴とする画像処理装置。
【請求項２】
前記オフセット手段は、前記第１の閾値より前記第１の多値データを減算することにより第２の閾値を算出し、前記生成手段は、前記第２の多値データと前記第２の閾値を比較することにより前記第２の量子化データを生成することを特徴とする請求項１に記載の画像処理装置。
【請求項３】
前記データ取得手段は、第３のインクに対応する第３の多値データと第４のインクに対応する第４の多値データをさらに取得し、
前記オフセット手段は、前記第１の多値データを用いて前記第１の閾値をオフセットすることにより第２の閾値を算出し、前記第１の多値データおよび前記第２の多値データを用いて前記第１の閾値をオフセットすることにより第３の閾値を算出し、前記第１の多値データ、前記第２の多値データおよび前記第３の多値データを用いて前記第１の閾値をオフセットすることにより第４の閾値を算出し、
前記生成手段は、前記第２の多値データと前記第２の閾値を比較することにより前記第２のインクに対応する第２の量子化データを生成し、前記第３の多値データと前記第３の閾値を比較することにより前記第３のインクに対応する第３の量子化データを生成し、前記第４の多値データと前記第４の閾値を比較することにより前記第４のインクに対応する第４の量子化データを生成することを特徴とする請求項１に記載の画像処理装置。
【請求項４】
前記オフセット手段は、前記第１の閾値より前記第１の多値データを減算することにより前記第２の閾値を算出し、前記第１の閾値より前記第１の多値データおよび前記第２の多値データの和を減算することにより前記第３の閾値を算出し、前記第１の閾値より前記第１の多値データ、前記第２の多値データおよび前記第３の多値データの和を減算することにより前記第４の閾値を算出することを特徴とする請求項３に記載の画像処理装置。
【請求項５】
記録媒体に記録される画像の注目画素について、第１のインクに対応する第１の多値データと第２のインクに対応する第２の多値データを取得するデータ取得手段と、
複数の閾値が画素位置に対応づけて配列されることで構成され、記憶手段に記憶された閾値マトリクスより、前記注目画素に対応する位置に配置されている第１の閾値を取得する閾値取得手段と、
前記第１の多値データに基づいて、前記第２の多値データをオフセットするオフセット手段と、
前記第１の多値データと前記第１の閾値を比較することにより前記第１のインクのドットを記録するための第１の量子化データを生成し、前記第１の閾値を、前記オフセット手段によってオフセットされた前記第２の多値データと比較することにより前記第２のインクのドットを記録するための第２の量子化データを生成する生成手段と
を有する画像処理装置であって
前記閾値マトリクスには、画素位置に対応づけて配列された前記複数の閾値のうち、最小値から前記第１の多値データの値までの連続する閾値に対応する画素位置に前記第１のインクのドットが記録された場合に形成されるドットパターンの空間周波数特性は、空間周波数と周波数成分の強度との対応関係において周波数成分の強度がピークとなる空間周波数を有し、かつ、当該ピークの空間周波数が前記第１の多値データの値に応じて異なるという特性を有し、画素位置に対応づけて配列された前記複数の閾値のうち、前記最小値から前記第１の多値データの値までを除く連続する閾値に対応する画素位置に前記第２のインクのドットが記録された場合に形成されるドットパターンの空間周波数特性は、空間周波数が高くなるにつれて周波数成分の強度が単調に増加するという特性を有するように、前記複数の閾値が画素位置に対応づけて配列されており、
前記データ取得手段が取得する多値データに関して、前記画像の全色領域のうち中間の明度よりも高い明度の色領域においてブラックインクの濃度を示す多値データの値は他の色のインクの濃度を示す多値データの値よりも小さく、
前記第１のインクはブラックインクとは異なるインクであり、前記第２のインクはブラックインクであることを特徴とする画像処理装置。
【請求項６】
記録媒体に記録される画像の注目画素について、第１のインクに対応する第１の多値データと、第２のインクに対応する第２の多値データと、第３のインクに対応する第３の多値データと、を取得するデータ取得手段と、
複数の閾値が画素位置に対応づけて配列されることで構成され、記憶手段に記憶された閾値マトリクスより、前記注目画素に対応する位置に配置されている第１の閾値を取得する閾値取得手段と、
前記第１の多値データを用いて前記第１の閾値をオフセットすることによって第２の閾値を算出し、前記第１の多値データおよび前記第２の多値データを用いて前記第１の閾値をオフセットすることによって第３の閾値を算出する算出手段と、
前記第１の多値データと前記第１の閾値を比較することにより前記第１のインクのドットを記録するための第１の量子化データを生成し、前記第２の多値データと前記第２の閾値を比較することにより前記第２のインクのドットを記録するための第２の量子化データを生成し、前記第３の多値データと前記第３の閾値を比較することにより前記第３のインクのドットを記録するための第３の量子化データを生成する生成手段と、
を有する画像処理装置であって、
前記閾値マトリクスには、画素位置に対応づけて配列された前記複数の閾値のうち、最小値から前記第１の多値データの値までの連続する閾値に対応する画素位置に前記第１のインクのドットが記録された場合に形成されるドットパターンの空間周波数特性は、空間周波数と周波数成分の強度との対応関係において周波数成分の強度がピークとなる空間周波数を有し、かつ、当該ピークの空間周波数が前記第１の多値データの値に応じて異なるという特性を有し、画素位置に対応づけて配列された前記複数の閾値のうち、前記最小値から前記第１の多値データの値までを除く連続する閾値に対応する画素位置に前記第２のインクのドットが記録された場合に形成されるドットパターンの空間周波数特性は、空間周波数が高くなるにつれて周波数成分の強度が単調に増加するという特性を有するように、前記複数の閾値が画素位置に対応づけて配列されており、
前記データ取得手段が取得する多値データに関して、前記画像の全色領域のうち中間の明度よりも高い明度の色領域においてブラックインクの濃度を示す多値データの値は他の色のインクの濃度を示す多値データの値よりも小さく、
前記第１のインクはブラックインクとは異なるインクであり、前記第２のインクはブラックインクであり、前記第３のインクはブラックインクと異なるインクであることを特徴とする画像処理装置。
【請求項７】
前記第１のインクは、シアン、マゼンタ、イエロー、レッド、グリーン、ブルー、またはグレーインクのいずれかまたは、これらインクと色材濃度の異なるインクであることを特徴とする請求項１ないし６のいずれか１項に記載の画像処理装置。
【請求項８】
前記注目画素について、ＲＧＢの輝度データを前記複数のインクのそれぞれに対応する多値データに変換するインク色分解手段をさらに備え、
該インク色分解手段は、全色領域のうち中間の明度よりも高い明度の色領域において、ブラックインクの濃度を示す多値データの値が他の色のインクの濃度を示す多値データの値よりも小さくなるように、前記ＲＧＢの輝度データを変換することを特徴とする請求項１ないし７のいずれか１項に記載の画像処理装置。
【請求項９】
前記閾値マトリクスは、ブルーノイズ特性を有することを特徴とする請求項１ないし８のいずれか１項に記載の画像処理装置。
【請求項１０】
前記閾値マトリクスは、記録されるドットパターンにおいて、低周波のパワーが高周波のパワーよりも抑えられるように形成されていることを特徴とする請求項１ないし８のいずれか１項に記載の画像処理装置。
【請求項１１】
前記第１の量子化データに従って第１のインクを記録し、前記第２の量子化データに従って第２のインクを記録することにより前記記録媒体に画像を記録する記録手段を更に有することを特徴とする請求項１ないし１０のいずれか１項に記載の画像処理装置。
【請求項１２】
記録媒体に形成する画像の注目画素について、第１のインクに対応する第１の多値データと第２のインクに対応する第２の多値データを取得するデータ取得工程と、
複数の閾値が画素位置に対応づけて配列されることで構成され、記憶手段に記憶された閾値マトリクスより、前記注目画素に対応する位置に配置されている第１の閾値を取得する閾値取得工程と、
前記第１の多値データに基づいて、前記第１の閾値と前記第２の多値データの少なくとも一方をオフセットするオフセット工程と、
前記第１の多値データと前記第１の閾値を比較することにより前記第１のインクのドットを記録するための第１の量子化データを生成し、前記オフセット工程による前記オフセットを反映した状態で前記第２の多値データと前記第１の閾値とを比較することにより前記第２のインクのドットを記録するための第２の量子化データを生成する生成工程と
を有する画像処理方法であって、
前記閾値マトリクスには、画素位置に対応づけて配列された前記複数の閾値のうち、最小値から前記第１の多値データの値までの連続する閾値に対応する画素位置に前記第１のインクのドットが記録された場合に形成されるドットパターンの空間周波数特性は、空間周波数と周波数成分の強度との対応関係において周波数成分の強度がピークとなる空間周波数を有し、かつ、当該ピークの空間周波数が前記第１の多値データの値に応じて異なるという特性を有し、画素位置に対応づけて配列された前記複数の閾値のうち、前記最小値から前記第１の多値データの値までを除く連続する閾値に対応する画素位置に前記第２のインクのドットが記録された場合に形成されるドットパターンの空間周波数特性は、空間周波数が高くなるにつれて周波数成分の強度が単調に増加するという特性を有するように、前記複数の閾値が画素位置に対応づけて配列されており、
前記データ取得工程が取得する多値データに関して、前記画像の全色領域のうち中間の明度よりも高い明度の色領域においてブラックインクの濃度を示す多値データの値は他の色のインクの濃度を示す多値データの値よりも小さく、
前記第１のインクはブラックインクとは異なるインクであり、前記第２のインクはブラックインクであることを特徴とする画像処理方法。
【請求項１３】
前記オフセット工程は、前記第１の閾値より前記第１の多値データを減算することにより第２の閾値を算出し、前記生成工程は、前記第２の多値データと前記第２の閾値を比較することにより前記第２の量子化データを生成することを特徴とする請求項１２に記載の画像処理方法。
【請求項１４】
前記データ取得工程は、第３のインクに対応する第３の多値データと第４のインクに対応する第４の多値データをさらに取得し、
前記オフセット工程は、前記第１の多値データを用いて前記第１の閾値をオフセットすることにより第２の閾値を算出し、前記第１の多値データおよび前記第２の多値データを用いて前記第１の閾値をオフセットすることにより第３の閾値を算出し、前記第１の多値データ、前記第２の多値データおよび前記第３の多値データを用いて前記第１の閾値をオフセットすることにより第４の閾値を算出し、
前記生成工程は、前記第２の多値データと前記第２の閾値を比較することにより前記第２のインクに対応する第２の量子化データを生成し、前記第３の多値データと前記第３の閾値を比較することにより前記第３のインクに対応する第３の量子化データを生成し、前記第４の多値データと前記第４の閾値を比較することにより前記第４のインクに対応する第４の量子化データを生成することを特徴とする請求項１２に記載の画像処理方法。
【請求項１５】
前記オフセット工程は、前記第１の閾値より前記第１の多値データを減算することにより前記第２の閾値を算出し、前記第１の閾値より前記第１の多値データおよび前記第２の多値データの和を減算することにより前記第３の閾値を算出し、前記第１の閾値より前記第１の多値データ、前記第２の多値データおよび前記第３の多値データの和を減算することにより前記第４の閾値を算出することを特徴とする請求項１４に記載の画像処理方法。
【請求項１６】
記録媒体に形成する画像の注目画素について、第１のインクに対応する第１の多値データと第２のインクに対応する第２の多値データを取得するデータ取得工程と、
複数の閾値が画素位置に対応づけて配列されることで構成され、記憶手段に記憶された閾値マトリクスより、前記注目画素に対応する位置に配置されている第１の閾値を取得する閾値取得工程と、
前記第１の多値データに基づいて、前記第２の多値データをオフセットするオフセット工程と、
前記第１の多値データと前記第１の閾値を比較することにより前記第１のインクのドットを記録するための第１の量子化データを生成し、前記第１の閾値を、前記オフセット工程によってオフセットされた前記第２の多値データと比較することにより前記第２のインクのドットを記録するための第２の量子化データを生成する生成工程と
を有する画像処理方法であって、
前記閾値マトリクスには、画素位置に対応づけて配列された前記複数の閾値のうち、最小値から前記第１の多値データの値までの連続する閾値に対応する画素位置に前記第１のインクのドットが記録された場合に形成されるドットパターンの空間周波数特性は、空間周波数と周波数成分の強度との対応関係において周波数成分の強度がピークとなる空間周波数を有し、かつ、当該ピークの空間周波数が前記第１の多値データの値に応じて異なるという特性を有し、画素位置に対応づけて配列された前記複数の閾値のうち、前記最小値から前記第１の多値データの値までを除く連続する閾値に対応する画素位置に前記第２のインクのドットが記録された場合に形成されるドットパターンの空間周波数特性は、空間周波数が高くなるにつれて周波数成分の強度が単調に増加するという特性を有するように、前記複数の閾値が画素位置に対応づけて配列されており、
前記データ取得工程が取得する多値データに関して、前記画像の全色領域のうち中間の明度よりも高い明度の色領域においてブラックインクの濃度を示す多値データの値は他の色のインクの濃度を示す多値データの値よりも小さく、
前記第１のインクはブラックインクとは異なるインクであり、前記第２のインクはブラックインクであることを特徴とする画像処理方法。
【請求項１７】
記録媒体に形成する画像の注目画素について、第１のインクに対応する第１の多値データと、第２のインクに対応する第２の多値データと、第３のインクに対応する第３の多値データと、を取得するデータ取得工程と、
複数の閾値が画素位置に対応づけて配列されることで構成され、記憶手段に記憶された閾値マトリクスより、前記注目画素に対応する位置に配置されている第１の閾値を取得する閾値取得工程と、
前記第１の多値データを用いて前記第１の閾値をオフセットすることによって第２の閾値を算出し、前記第１の多値データおよび前記第２の多値データを用いて前記第１の閾値をオフセットすることによって第３の閾値を算出する算出工程と、
前記第１の多値データと前記第１の閾値を比較することにより前記第１のインクのドットを記録するための第１の量子化データを生成し、前記第２の多値データと前記第２の閾値を比較することにより前記第２のインクのドットを記録するための第２の量子化データを生成し、前記第３の多値データと前記第３の閾値を比較することにより前記第３のインクのドットを記録するための第３の量子化データを生成する生成工程と、
を有する画像処理方法であって、
前記閾値マトリクスには、画素位置に対応づけて配列された前記複数の閾値のうち、最小値から前記第１の多値データの値までの連続する閾値に対応する画素位置に前記第１のインクのドットが記録された場合に形成されるドットパターンの空間周波数特性は、空間周波数と周波数成分の強度との対応関係において周波数成分の強度がピークとなる空間周波数を有し、かつ、当該ピークの空間周波数が前記第１の多値データの値に応じて異なるという特性を有し、画素位置に対応づけて配列された前記複数の閾値のうち、前記最小値から前記第１の多値データの値までを除く連続する閾値に対応する画素位置に前記第２のインクのドットが記録された場合に形成されるドットパターンの空間周波数特性は、空間周波数が高くなるにつれて周波数成分の強度が単調に増加するという特性を有するように、前記複数の閾値が画素位置に対応づけて配列されており、
前記データ取得工程が取得する多値データに関して、前記画像の全色領域のうち中間の明度よりも高い明度の色領域においてブラックインクの濃度を示す多値データの値は他の色のインクの濃度を示す多値データの値よりも小さく、
前記第１のインクはブラックインクとは異なるインクであり、前記第２のインクはブラックインクであり、前記第３のインクはブラックインクと異なるインクであることを特徴とする画像処理方法。
【請求項１８】
前記第１のインクは、シアン、マゼンタ、イエロー、レッド、グリーン、ブルー、またはグレーインクのいずれかまたは、これらインクと色材濃度の異なるインクであることを特徴とする請求項１２ないし１７のいずれか１項に記載の画像処理方法。
【請求項１９】
前記注目画素について、ＲＧＢの輝度データを前記複数のインクのそれぞれに対応する多値データに変換するインク色分解工程をさらに有し、
該インク色分解工程は、全色領域のうち中間の明度よりも高い明度の色領域において、ブラックインクの濃度を示す多値データの値が他の色のインクの濃度を示す多値データの値よりも小さくなるように、前記ＲＧＢの輝度データを変換することを特徴とする請求項１２ないし１８のいずれか１項に記載の画像処理方法。
【請求項２０】
前記閾値マトリクスはブルーノイズ特性を有することを特徴とする請求項１２ないし１９のいずれか１項に記載の画像処理方法。
【請求項２１】
前記閾値マトリクスは、記録されるドットパターンにおいて、低周波のパワーが高周波のパワーよりも抑えられるように形成されていることを特徴とする請求項１２ないし１９のいずれか１項に記載の画像処理方法。
【請求項２２】
請求項１ないし１１のいずれか１項に記載の画像処理装置の各手段としてコンピュータを機能させるためのプログラム。
【手続補正２】
【補正対象書類名】明細書
【補正対象項目名】００１９
【補正方法】変更
【補正の内容】
【００１９】
そのために本発明は、記録媒体に形成される画像の注目画素について、第１のインクに対応する第１の多値データと第２のインクに対応する第２の多値データを取得するデータ取得手段と、複数の閾値が画素位置に対応づけて配列されることで構成され、記憶手段に記憶された閾値マトリクスより、前記注目画素に対応する位置に配置されている第１の閾値を取得する閾値取得手段と、前記第１の多値データに基づいて、前記第１の閾値と前記第２の多値データの少なくとも一方をオフセットするオフセット手段と、前記第１の多値データと前記第１の閾値を比較することにより前記第１のインクのドットを記録するための第１の量子化データを生成し、前記オフセット手段による前記オフセットを反映した状態で前記第２の多値データと前記第１の閾値とを比較することにより前記第２のインクのドットを記録するための第２の量子化データを生成する生成手段とを有する画像処理装置であって、前記閾値マトリクスには、画素位置に対応づけて配列された前記複数の閾値のうち、最小値から前記第１の多値データの値までの連続する閾値に対応する画素位置に前記第１のインクのドットが記録された場合に形成されるドットパターンの空間周波数特性は、空間周波数と周波数成分の強度との対応関係において周波数成分の強度がピークとなる空間周波数を有し、かつ、当該ピークの空間周波数が前記第１の多値データの値に応じて異なるという特性を有し、画素位置に対応づけて配列された前記複数の閾値のうち、前記最小値から前記第１の多値データの値までを除く連続する閾値に対応する画素位置に前記第２のインクのドットが記録された場合に形成されるドットパターンの空間周波数特性は、空間周波数が高くなるにつれて周波数成分の強度が単調に増加するという特性を有するように、前記複数の閾値が画素位置に対応づけて配列されており、前記データ取得手段が取得する多値データに関して、前記画像の全色領域のうち中間の明度よりも高い明度の色領域においてブラックインクの濃度を示す多値データの値は他の色のインクの濃度を示す多値データの値よりも小さく、前記第１のインクはブラックインクとは異なるインクであり、前記第２のインクはブラックインクであることを特徴とする。